(57)【特許請求の範囲】
【請求項１】
壁面に埋設されたアンカーボルトと、裏面に防水シートが貼着され壁面に沿って配列されたパネルと、アンカーボルトに支持されて隣接する両パネルの目地部分に沿ってそれを背面側より覆うように配置された長尺体からなる支持部材とを有し、支持部材は、アンカーボルトに支持される基板上に、対向した二個の台座が長手方向に沿って形成されると共に基板の両側縁を折曲して縦溝が形成され、固着具によりこの台座上にパネルの側端が固着されると共に、パネル裏面の側端に沿って形成された防水シートの立ち上げ部の先端が縦溝内に挿入されたことを特徴とするトンネル状構造物のパネルによる導水構造。
【請求項２】
前記台座は、基板の上面を一壁面とした中空状となされ、パネルの側端から台座に固着具が挿入されると共に、挿入された固着具の固着部が中空内に位置されたことを特徴とする請求項１記載のトンネル状構造物のパネルによる導水構造。
【請求項３】
パネルの裏面に防水シートが貼着され、この防水シートの側縁がめくり上げられて立ち上げ部が形成されたことを特徴とする請求項１または２記載のトンネル状構造物のパネルによる導水構造。
【発明の詳細な説明】
【０００１】
【発明の属する技術分野】
本発明は、トンネルや地下道等のトンネル状構造物の壁面よりの漏水に対して、パネルを用いて導水を行うようになされたトンネル状構造物のパネルによる導水構造に関するものである。
【０００２】
【従来の技術】
トンネルや地下道等のトンネル状構造物の壁面は、劣化等によりクラックが生じ、そのクラックより漏水が発生することがある。従来、かかる漏水対策としては、クラック部に急結止水剤等を注入する止水工法、特殊セメントを吹き付ける吹き付け工法、漏水箇所をハツリ樋等を設置する線導水工法、防水シートを壁全面に敷設し、その上からモルタルを被覆したり、パネルを壁面に取付け、目地部分を充填材等で止水する面導水工法、壁面にトンネル内装板等の内装板を取付け、その目地部分を充填材等でシールしたり、壁面に防水シートを被覆後、内装板を取付ける内装板による漏水対策等がある。
【０００３】
【発明が解決しようとする課題】
しかしながら上記の如き漏水対策には次のような問題点がある。すなわち上記止水工法や吹き付け工法、線導水工法では、一時的に漏水が止まるものの、経年変化により二次漏水あるいは未処理箇所からの漏水が発生し、特に線導水工法では、下方で遊離石灰や泥等により目詰まりを起こし、また美観を損ねる問題がある。また防水シートによる面導水工法は、防水シートとして通常は可撓性を有する薄い合成樹脂シートが使用されるために施工現場での取扱いが容易ではなく、また取扱いによっては破れる等の問題もある。パネルによる面導水工法は、前記防水シートによる問題は解消されるものの、目地部分を充填材等でシールしているために、充填材等の劣化により再び漏水が発生する問題があり、また各パネルの表面が不揃いであっても不陸調整が困難である。さらに内装板による漏水対策は、天井面は困難であって側壁面しか対応できず、また内装板の保持と導水機能とを別個に設けると、側壁面よりの突出寸法も大きくなる問題がある。
【０００４】
そこで本発明は、上記の如き問題点を解消し、漏水に対してパネルを用いて導水を行うようになされたトンネル状構造物のパネルによる導水構造において、不陸調整を容易にし、且つ側壁面のみならず天井面にも対応でき、さらに壁面からあまり突出させないようにすることを目的とするものである。
【０００５】
【課題を解決するための手段】
上記目的を達成するために、本発明は次のような構成としている。
すなわちこの発明に係るトンネル状構造物の導水構造は、壁面に埋設されたアンカーボルトと、裏面に防水シートが貼着され壁面に沿って配列されたパネルと、アンカーボルトに支持されて隣接する両パネルの目地部分に沿ってそれを背面側より覆うように配置された長尺体からなる支持部材とを有し、支持部材は、アンカーボルトに支持される基板上に、対向した二個の台座が長手方向に沿って形成されると共に基板の両側縁を折曲して縦溝が形成され、固着具によりこの台座上にパネルの側端が固着されると共に、パネル裏面の側端に沿って形成された防水シートの立ち上げ部の先端が縦溝内に挿入されたことを特徴とするものである。
【０００６】
本発明によれば、壁面に凹凸がある場合は、アンカーボルトに対して支持部材を前後に移動させることにより、容易に不陸調整を行うことができる。
【０００７】
壁面よりの漏水に対しては、目地部分に滴下する漏水は基板により遮られ、またパネルは台座部に固着されて基板に直接固着されていないため、パネルの固着部分からも漏水が漏れ出すことがなく、さらにパネルの裏面に滴下した漏水は、先端が縦溝内に挿入された防水シートの立ち上げ部により両側縁からはみ出すことなく、パネルの裏面に沿って下方に落下される。従って漏水をパネルや目地部分から漏れ出ることなく、全てを壁面とパネルとの間で処理して下方に落下させることができるので、側壁面のみならず天井面にも対応することができる。
【０００８】
さらにまた支持部材は、前記の如くパネルの保持と共に導水機能をも兼ねているために、壁面からの突出寸法を小さくすることができる。
【０００９】
なお台座を、基板の上面を一壁面とした中空状とすることにより、ボードアンカーやナイロンアンカー等の脱着可能な固着具を使用することができる。
【００１０】
さらに、パネルの裏面に防水シートを貼着し、この防水シートの側縁を未貼着としておけば、この未貼着の側縁がめくり上げられて立ち上げ部が形成されるようにすれば、容易に立ち上げ部が形成され、またパネル裏面の防水性も付与できる。
【００１１】
【００１２】
【発明の実施の形態】
次に、本発明の実施の形態について図面を参照し、具体的に説明する。
すなわち図１は本発明の実施の一形態を示す正面図、図２は図１の断面図、図３はパネルの、（イ  ）は正面図、（ロ）は断面図、（ハ）は側面図、図４はトンネル状構造物のアーチ最上部に用いられるパネルの正面図、図５は支持部材の、（イ）は正面図、（ロ）は断面図、（ハ）は側面図、図６はトンネル状構造物のアーチ最上部に用いられるパネルの正面図である。
【００１３】
図面において、１はトンネル状構造物の壁面、２はその壁面１に所定間隔をおいて埋設されたアンカーボルト、３は壁面１に沿って配列された複数のパネル、４は隣接するパネル３の左右の目地部分に沿って背面側よりその目地部分を覆うように上下に配置された長尺体からなる支持部材である。
【００１４】
パネル３は、セメント系板、鋼板等の金属板、ホーロー板、合成樹脂板、合成樹脂と金属等の複合板等の適宜板材からなるものであって、その裏面には一般にはポリエチレン、ポリスチレン、ポリプロピレン、ポリ塩化ビニル、ポリエステル、ＥＶＡ、アスフアルト系またはゴム系等の防水性を有するシート材からなる防水シート３１が左右両側縁を残して貼着され、そしてその防水シート３１の左右両側縁はめくり上げられてそれぞれ立ち上げ部３２が形成されている。
【００１５】
またトンネル状構造物のアーチ最上部に配置されるパネル３は、上下の端縁より前記防水シート３１がそれぞれはみ出されてはみ出し部３３が形成され、それ以外のパネル３では、パネル３の下端縁のみから防水シート３１がはみ出されてはみ出し部３３が形成されている。そしてこの防水シート３１のはみ出し部３３に下方のパネル３の上端を重合させつつ順次上方から下方に接合させることにより、パネル３の裏面に滴下した漏水が、上下のパネル３の接合部分から漏れ出すのを防止している。
【００１６】
また防水シート３１は、一般にはパネル３の裏面全体に貼着されるが、パネル３が防水性を有していれば、立ち上げ部３２およびはみ出し部３３を形成するに充分な大きさで部分的に貼着されていてもよく、さらにシート状でなくても、薄板状であってもよい。またパネル３の表面には無機塗料等を塗布してトンネル内装板としての機能を付加したり、蛍光塗料を塗布して視線誘導機能を付与したり、イラストデザイン等を適宜施してもよい。
【００１７】
次に支持部材４は、基板４１と、その基板４１上に長手方向に沿って形成された台座４２と、基板４１上に側縁に沿って形成された縦溝４３とから構成されている。
【００１８】
基板４１は、中央部に沿ってアンカーボルト２が挿入されるボルト挿通孔４４が複数穿設されたものであって、この挿通孔４４にアンカーボルト２が挿入されると共に、アンカーボルト２に螺合させた二個のナット２１により基板４１が挟着されて、支持部材４がアンカーボルト２に支持されている。そして壁面１に凹凸がある場合は、この二個のナット２１を調節することにより、アンカーボルト２に対して支持部材４を前後に移動させて、不陸調整を行うことができる。
【００１９】
台座４２は、基板４１の上面を一壁面として中空角柱が横設された如き形状にて、前記ボルト挿通孔４４の左右にそれぞれ一個づつ並行に設けられている。そして各台座４２の上面に、隣接する両パネル３のそれぞれの側端を当接させ、パネル３の側端と台座４２の上面とにそれぞれ穿設された取付孔３４，４５を合わせてボードアンカーやナイロンアンカー等の脱着可能な固着具５を台座４２内に挿入し、固着具５の固着部５１を中空内に位置させることにより、パネル３の側端が台座４２上に脱着可能に固着されている。なお台座４２の取付孔４５は、パネル３の取付孔３４が合わせやすいように、上下の長孔となされている。
【００２０】
縦溝４３は、基板４１の側縁に形成された折曲部４６と台座４２とを側壁とし、基板４１の上面を底面として形成されたものであって、前記の如くして側端が台座４２に固着されたパネル３裏面の立ち上げ部３２が、この縦溝４３内に挿入されている。
【００２１】
なお支持部材４の裏面、すなわち基板４１の裏面には防水シート４７が貼着され、そして前記パネル３の場合と同様に、トンネル状構造物のアーチ最上部に配置される支持部材４は、上下の端縁より前記防水シート４７がそれぞれはみ出されてはみ出し部４８が形成され、それ以外の支持部材４では、支持部材４の下端縁のみから防水シート４７がはみ出されてはみ出し部４８が形成されている。そしてこの防水シート４７のはみ出し部４８に下方の支持部材４の上端を重合させつつ順次上方から下方に接合させることにより、支持部材４の裏面に滴下した漏水が、上下の支持部材４の接合部分から漏れ出すのを防止している。
【００２２】
次に上記形態によるトンネル状構造物の導水構造の施工方法を説明する。
まず配列しようとするパネル３の目地部分に該当する位置に合わせて、壁面１にアンカーボルト２を埋設する。次にそのアンカーボルト２を支持部材４の基板４１のボルト挿通孔４４に挿入し、二個のナット２１を螺合することにより、不陸調整を行いつつ支持部材４を壁面１に沿って、上方から下方に向かって順次アンカーボルト２に支持させる。この場合、上方の支持部材４の下端縁からの防水シート４７のはみ出し部４８に下方の支持部材４の上端を重合させつつ順次上方から下方に接合させて、上下の支持部材４の接合部分から漏水が漏れないようする。また基板４１とアンカーボルト２との隙間はシール付きのワッシャ２２等により止水を行っておくのが好ましい。
【００２３】
しかる後、支持部材４の各台座４２の上面に、隣接する両パネル３のそれぞれの側端を当接させ、パネル３の側端と台座４２の上面とにそれぞれ穿設された取付孔３４，４５を合わせてボードアンカーやナイロンアンカー等の固着具５を台座４２内に挿入し、固着具５の固着部５１を中空内に位置させることにより、パネル３の側端を台座４２上に固着させ、またパネル３裏面の防水シートの側縁をめくり上げて立ち上げ部３２を形成し、その立ち上げ部３２を支持部材４の縦溝４３内に挿入させる。なお、台座４２とパネル３との間にパッキン３５を介在させておくと、より防水性が保たれるので好ましい。
【００２４】
この場合支持部材４と同様に、上方のパネル３の下端縁からの防水シート３１のはみ出し部３３に下方のパネル３の上端を重合させて、上下のパネル３の接合部分から漏水が漏れないようにする。かようにしてパネル３を順次上方から下方に向かって支持部材４に固着させ、パネル３を壁面１に配列させる。
【００２５】
なおトンネル状構造物のアーチ最上部からパネル３を取付ける場合は、アーチ最上部に配置するパネル３は、図４の如き防水シート３１のはみ出し部３３が上下端に形成されているものを使用し、また同様にアーチ最上部に配置する支持部材４は、図６の如き防水シート４７のはみ出し部４８が上下端に設けられているものを使用する。
【００２６】
【発明の効果】
本発明によれば、アンカーボルトに支持されて隣接する両パネルの目地部分に沿ってそれを背面側より覆うように配置された取付部材に、パネルの側端が固着されているので、壁面に凹凸がある場合は、アンカーボルトに対して支持部材を前後に移動させることにより、容易に不陸調整を行うことができる。
【００２７】
またアンカーボルトに基板が支持されて、前記の如く隣接する両パネルの目地部分に沿って、背面側よりその目地部分を覆うように取付部材が配置されているので、目地部分に滴下する漏水は基板により遮られ、目地部分から漏れ出すことがない。またパネルの側端は基板上に長手方向に沿って形成された台座上に固着され、基板に直接固着されていないため、パネルの固着部分からも漏水が漏れ出すことがない。さらに基板上に側縁に沿って形成された縦溝内にパネル裏面の側端に沿って形成された防水シートの立ち上げ部の先端が挿入されているので、パネルの裏面に滴下した漏水は、この立ち上げ部により両側縁からはみ出すことなく、パネルの裏面に沿って下方に落下される。従って漏水をパネルや目地部分から漏れ出ることなく、全てを壁面とパネルとの間で処理して下方に落下させることができるので、側壁面のみならず天井面にも対応することができる。
【００２８】
また支持部材は、前記の如くパネルの保持と共に導水機能をも兼ねているために、パネルの保持と導水機能とを別個に設けるよりも、壁面からの突出寸法を小さくすることができる。
【図面の簡単な説明】
【図１】本発明の実施の一形態を示す正面図である。
【図２】図１の断面図である。
【図３】パネルの、（イ）は正面図、（ロ）は断面図、（ハ）は側面図である。
【図４】トンネル状構造物のアーチ最上部に用いられるパネルの正面図である。
【図５】支持部材の、（イ）は正面図、（ロ）は断面図、（ハ）は側面図である。
【図６】トンネル状構造物のアーチ最上部に用いられるパネルの正面図である。
【符号の説明】
１    壁面
２    アンカーボルト
２１  ナット
２２  ワッシャー
３    パネル
３１  防水シート
３２  立ち上げ部
３３  はみ出し部
３４  取付孔
３５  パッキン
４    支持部材
４１  基板
４２  台座
４３  縦溝
４４  挿通孔
４５  取付孔
４６  折曲部
４７  防水シート
４８  はみ出し部
５    固着具
５１  固着部
【図１】
0003610181.tif 000002
【図２】
0003610181.tif 000003
【図３】
0003610181.tif 000004
【図４】
0003610181.tif 000005
【図５】
0003610181.tif 000006
【図６】
0003610181.tif 000007